(57)【特許請求の範囲】
【請求項１】
幅、長さ、高さの寸法を有する直方体形状の物品（９）を梱包するための梱包用のカートン（１）を実現するための方法であって、それが以下の諸ステップ、すなわち：
ダンボールバンド（２）の展開方向と平行である前進方向（Ａ）に沿って梱包用の前記ダンボールバンド（２）を供給するステップ；
前記ダンボールバンド（２）上に第１のスコア線（１１）および第２のスコア線（１２）を、前記第１のスコア線（１１）および前記第２のスコア線（１２）が前記展開方向と平行になるように形成し、前記第１のスコア線（１１）と前記第２のスコア線（１２）との間に含まれる中心セクタ（３）；前記第１のスコア線（１１）と前記ダンボールバンド（２）の第１の横方向の端部（６）との間に含まれる第１の横方向のセクタ（４）；および前記第２のスコア線（１２）と前記第１の横方向の端部（６）の反対側にある前記ダンボールバンド（２）の第２の横方向の端部（７）との間に含まれる第２の横方向のセクタ（５）に分けられるステップ；
前記ダンボールバンド（２）上でお互いに連続的であるバンド領域（８）を識別するステップ；
各バンド領域（８）上で、前記ダンボールバンド（２）の前記展開方向に対して横の方向に作られる少なくとも第１の切れ目（２１）、第２の切れ目（２２）、第３の切れ目（２３）および第４の切れ目（２４）を：第１の閉鎖翼（４９）、第１の補強翼（５１）および第２の補強翼（５２）が第１の横方向のセクタ（４）内に画定されるように、前記第１の切れ目（２１）および前記第２の切れ目（２２）が、前記第１の横方向のセクタ（４）に実行されてかつ前記第１のスコア線（１１）まで伸び、前記第１の閉鎖翼（４９）が前記第１の補強翼（５１）と前記第２の補強翼（５２）との間に挿入され；第２の閉鎖翼（５０）、第３の補強翼（５３）および第４の補強翼（５４）が前記第２の横方向のセクタ（５）に画定されるように、前記第３の切れ目（２３）および前記第４の切れ目（２４）が、前記第２の横方向のセクタ（５）に実行されてかつ前記第２のスコア線（１２）まで伸び、前記第２の閉鎖翼（５０）が前記第３の補強翼（５３）と前記第４の補強翼（５４）との間に挿入され；前記第１の閉鎖翼（４９）が、前記第２の閉鎖翼（５０）の反対側にあり、前記第１の補強翼（５１）が、前記第３の補強翼（５３）の反対側にあり、前記第２の補強翼（５２）が、前記第４の補強翼（５４）の反対側にあるように実施するステップ；
お互いに上記のバンド領域（８）を隔てるように、横方向に前記ダンボールバンド（２）を切断し、したがって梱包用のカートン（１）を得るステップを含むことを特徴とする方法。
【請求項２】
請求項１に記載の方法であって、梱包されるべき前記物品（９）の寸法に従って：
前記第１のスコア線（１１）の位置；
前記第２のスコア線（１２）の位置；
前記展開方向に対して平行方向に測定される、各バンド領域（８）の拡張部分、前記バンド領域（８）を互いに隔てるために前記ダンボールバンド（２）を横方向に切断する位置；
各バンド領域（８）の前記第１の切れ目（２１）、前記第２の切れ目（２２）、前記第３の切れ目（２３）および前記第４の切れ目（２４）の位置を選択的に調節するステップを含む方法。
【請求項３】
梱包されるべき前記物品（９）の前記寸法に合わせて前記ダンボールバンド（２）の前記第１の横方向の端部（６）におよび／または前記ダンボールバンド（２）の前記第２の横方向の端部（７）に位置する前記ダンボールバンド（２）の縁部細片を切断するステップまたは複数ステップを含む請求項１または２に記載の方法。
【請求項４】
請求項１−３のうちいずれか一項に記載の方法であって、各バンド領域（８）上で以下、すなわち：前記第１の補強翼（５１）を２つの部分、すなわち第５の補強翼（５５）および第６の補強翼（５６）に分割するように前記ダンボールバンド（２）の前記展開方向に対して横の方向に作られる第５の切れ目（２５）；前記第３の補強翼（５３）を２つの部分、すなわち第７の補強翼（５７）および第８の補強翼（５８）に分割するように前記ダンボールバンド（２）の前記展開方向に対して横の方向に作られる第６の切れ目（２６）が更に実施され；前記第５の補強翼（５５）が前記第７の補強翼（５７）の反対側にあり、および前記第６の補強翼（５６）が前記第８の補強翼（５８）の反対側にあり；前記第５の切れ目（２５）および前記第６の切れ目（２６）の位置が、前記展開方向に沿って測定される前記第６の補強翼（５６）および前記第８の補強翼（５８）の展開方向の長さが、前記ダンボールバンドの展開方向と逆の方向から供給され、前記第１の閉鎖翼（４９）と前記第２の閉鎖翼（５０）との間の前記中心セクタ（３）上に載置される梱包されるべき物品（９）の第３の側面（４３）、すなわち物品の供給方向前方の面の高さ以上になるように選ばれ、前記第３の側面（４３）が、中心セクタ（３）のうち前記第１のスコア線（１１）および前記第２のスコア線（１２）をヒンジ軸として、前記第５の補強翼（５５）、前記第６の補強翼（５６）、前記第７の補強翼（５７）および前記第８の補強翼（５８）とヒンジ結合される領域の方を向くように前記物品（９）が載置されることを特徴とする方法。
【請求項５】
請求項１−４のうちいずれか一項に記載の方法であって、以下、すなわち：前記第２の補強翼（５２）を２つの部分、すなわち第９の補強翼（５９）および第１０の補強翼（６０）に分割するように前記ダンボールバンド（２）の前記展開方向に対して横方向に作られる第７の切れ目（２７）；前記第４の補強翼（５４）を２つの部分、すなわち第１１の補強翼（９９）および第１２の補強翼（１００）に分割するように前記ダンボールバンド（２）の前記展開方向に対して横方向に作られる第８の切れ目（２８）が各バンド領域（８）上で更に実現され；前記第９の補強翼（５９）が前記第１１の補強翼（９９）の反対側にあり、および前記第１０の補強翼（６０）が前記第１２の補強翼（１００）の反対側にあり；前記第７の切れ目（２７）および前記第８の切れ目（２８）の位置が、前記展開方向に沿って測定される前記第９の補強翼（５９）および前記第１１の補強翼（９９）の展開方向の長さが、前記ダンボールバンドの展開方向と逆の方向から供給され、前記第１の閉鎖翼（４９）と前記第２の閉鎖翼（５０）との間の前記中心セクタ（３）上に載置される梱包されるべき物品（９）の第４の側面（４４）、すなわち物品の供給方向後方の面の高さ以上になるように選ばれ、前記第４の側面（４４）が、中心セクタ（３）のうち前記第１のスコア線（１１）および前記第２のスコア線（１２）をヒンジ軸として、前記第９の補強翼（５９）、前記第１０の補強翼（６０）、前記第１１の補強翼（９９）および前記第１２の補強翼（１００）とヒンジ結合される領域の方を向くように前記物品（９）が載置されることを特徴とする方法。
【請求項６】
請求項１−５のうちいずれか一項に記載の方法であって、更なるステップ、すなわち：前記展開方向と平行である前記ダンボールバンド（２）の前記第１の横方向のセクタ（４）上に第３のスコア線（１３）を、前記バンド領域（８）の第１の部分（１０１）が前記第１の閉鎖翼（４９）内の前記第１のスコア線（１１）と前記第３のスコア線（１３）との間に含まれ、および前記バンド領域（８）の第２の部分（１０２）が前記第１の閉鎖翼（４９）内の前記第３のスコア線（１３）と前記第１の閉鎖翼（４９）の自由端部との間に含まれるように形成するステップであって、前記第３のスコア線（１３）の位置が、前記バンド領域（８）の前記第１の部分（１０１）の前記展開方向に垂直な方向に沿った長さが、前記ダンボールバンドの展開方向と逆の方向から供給され、前記第１の閉鎖翼（４９）と前記第２の閉鎖翼（５０）との間の前記中心セクタ（３）上に載置される梱包されるべき物品（９）の第１の側面（４１）、すなわち物品の供給方向右手の面の高さ以上になるよう選ばれ、前記第１の側面（４１）が前記第１の閉鎖翼（４９）の方を向くように前記物品（９）が載置されるステップ；前記展開方向と平行である前記ダンボールバンド（２）の前記第２の横方向のセクタ（５）上に第４のスコア線（１４）を、前記バンド領域（８）の第３の部分（１０３）が前記第２の閉鎖翼（５０）内の前記第２のスコア線（１２）と前記第４のスコア線（１４）との間に含まれ、および前記バンド領域（８）の第４の部分（１０４）が前記第２の閉鎖翼（５０）内の前記第４のスコア線（１４）と前記第２の閉鎖翼（５０）の自由端との間に含まれるように形成するステップであって、前記第４のスコア線（１４）の位置が、前記バンド領域（８）の前記第３の部分（１０３）の前記展開方向に垂直な方向に沿った長さが、前記ダンボールバンドの展開方向と逆の方向から供給され、前記第１の閉鎖翼（４９）と前記第２の閉鎖翼（５０）との間の前記中心セクタ（３）上に載置される梱包されるべき前記物品（９）の第２の側面（４２）、すなわち物品の供給方向左手の面の高さ以上になるよう選ばれ、前記第２の側面（４２）が前記第２の閉鎖翼（５０）の方を向くように前記物品（９）が載置されるステップを含む方法。
【請求項７】
請求項６に記載の方法であって、更なるステップ、すなわち：前記展開方向と平行でかつ前記第１のスコア線（１１）と前記第３のスコア線（１３）との間に含まれる前記ダンボールバンド（２）の前記第１の横方向のセクタ（４）上の第５のスコア線（１５）を、前記バンド領域（８）の第５の部分（１０５）が、前記バンド領域（８）の前記第１の部分（１０１）内の前記第１のスコア線（１１）と前記第５のスコア線（１５）との間に含まれ、および前記バンド領域（８）の第６の部分（１０６）が、前記バンド領域（８）の前記第１の部分（１０１）内の前記第５のスコア線（１５）と前記第３のスコア線（１３）との間に含まれるように形成するステップであって、前記第３のスコア線（１３）および前記第５のスコア線（１５）の位置が、前記バンド領域（８）の前記第６の部分（１０６）の前記展開方向に垂直な方向に沿った長さが梱包されるべき前記物品（９）の前記第１の側面（４１）の高さ以上になるように選ばれるステップ；
前記展開方向と平行でかつ前記第２のスコア線（１２）と前記第４のスコア線（１４）との間に含まれる前記ダンボールバンド（２）の前記第２の横方向のセクタ（５）上の第６のスコア線（１６）を、前記バンド領域（８）の第７の部分（１０７）が、前記バンド領域（８）の前記第３の部分（１０３）内の前記第２のスコア線（１２）と前記第６のスコア線（１６）との間に含まれ、および前記バンド領域（８）の第８の部分（１０８）が、前記バンド領域（８）の前記第３の部分（１０３）内の前記第６のスコア線（１６）と前記第４のスコア線（１４）との間に含まれるように形成するステップであって、前記第４のスコア線（１４）および前記第６のスコア線（１６）の位置が、前記バンド領域（８）の前記第８の部分（１０８）の前記展開方向に垂直な方向に沿った長さが梱包されるべき前記物品（９）の前記第２の側面（４２）の高さ以上になるように選ばれるステップを含む方法。
【請求項８】
請求項１−７のうちいずれか一項に記載の方法を作動させるための器具（１０）であって、それが：
ダンボールバンド（２）の展開方向と平行である前進方向（Ａ）に沿って梱包用の前記ダンボールバンド（２）を供給するための供給手段；
前記ダンボールバンド（２）上に第１のスコア線（１１）および第２のスコア線（１２）を、前記第１のスコア線（１１）および前記第２のスコア線（１２）が前記展開方向と平行になるように形成するためのスコーリング手段であって、かつ以下、すなわち：前記第１のスコア線（１１）と前記第２のスコア線（１２）との間に含まれる中心セクタ（３）；前記第１のスコア線（１１）と前記ダンボールバンド（２）の第１の横方向の端部（６）との間に含まれる第１の横方向のセクタ（４）；および前記第２のスコア線（１２）と前記第１の横方向の端部（６）の反対側にある前記ダンボールバンド（２）の第２の横方向の端部（７）との間に含まれる第２の横方向のセクタ（５）に分ける手段；
前記ダンボールバンド（２）上でお互いに連続的であるバンド領域（８）を識別するための識別手段；
各バンド領域（８）上で、前記ダンボールバンド（２）の前記展開方向に対して横の方向に作られる少なくとも第１の切れ目（２１）、第２の切れ目（２２）、第３の切れ目（２３）および第４の切れ目（２４）を：第１の閉鎖翼（４９）、第１の補強翼（５１）および第２の補強翼（５２）が前記第１の横方向のセクタ（４）内に画定されるように、前記第１の切れ目（２１）および前記第２の切れ目（２２）が、前記第１の横方向のセクタ（４）に実行されてかつ前記第１のスコア線（１１）まで伸び、前記第１の閉鎖翼（４９）が前記第１の補強翼（５１）と前記第２の補強翼（５２）との間に挿入され；第２の閉鎖翼（５０）、第３の補強翼（５３）および第４の補強翼（５４）が前記第２の横方向のセクタ（５）に画定されるように、前記第３の切れ目（２３）および前記第４の切れ目（２４）が、前記第２の横方向のセクタ（５）に実行されてかつ前記第２のスコア線（１２）まで伸び、前記第２の閉鎖翼（５０）が前記第３の補強翼（５３）と前記第４の補強翼（５４）との間に挿入され；前記第１の閉鎖翼（４９）が前記第２の閉鎖翼（５０）の反対側にあり、前記第１の補強翼（５１）が前記第３の補強翼（５３）の反対側にあり、前記第２の補強翼（５２）が前記第４の補強翼（５４）の反対側にあるように実現するための第１の切断手段；
お互いに上記のバンド領域（８）を隔てるように、横方向に前記ダンボールバンド（２）を切断し、したがって、梱包用のカートン（１）を得るための第２の切断手段を備えることを特徴とする器具（１０）。
【請求項９】
請求項８に記載の器具（１０）であって、前記スコーリング手段が：前記ダンボールバンド（２）より上に配置される第１のシャフト（７０）；前記第１のシャフト（７０）によって支えられる第１のスコーリングホイール（７１）であって、前記第１のスコア線（１１）を実現するようにそれの軸に対して回転可能な第１のスコーリングホイール（７１）；前記第１のシャフト（７０）によって支えられる第２のスコーリングホイール（７２）であって、前記第２のスコア線（１２）を実現するようにそれの軸に対して回転可能な第２のスコーリングホイール（７２）を備えることを特徴とする器具（１０）。
【請求項１０】
前記第１のシャフト（７０）が、器具（１０）のフレーム（６７）によって支えられてかつ前記ダンボールバンド（２）に対して近づくようにかつ遠ざけるように可動性であり、そして前記第１のスコーリングホイール（７１）および前記第２のスコーリングホイール（７２）の位置が梱包されるべき前記物品（９）の寸法に従って前記第１のシャフトに沿って調整可能であることを特徴とする請求項９に記載の器具（１０）。
【請求項１１】
請求項１０に記載の器具（１０）であって、梱包されるべき前記物品（９）の前記寸法に従って前記ダンボールバンド（２）の縁部細片（４６、４７）を切断するための前記第１のシャフト（７０）によって支えられる切断ホイール（６８、６９）を備え、前記縁部細片（４６、４７）が前記ダンボールバンド（２）の前記第１の横方向の端部（６）にまたは前記ダンボールバンド（２）の前記第２の横方向の端部（７）に位置し；前記切断ホイール（６８、６９）の位置が切断されるべき前記縁部細片（４６、４７）の寸法に従って前記第１のシャフト（７０）に沿って調整可能な器具（１０）。
【請求項１２】
請求項１０または１１に記載の器具（１０）であって、前記スコーリング手段が更に：前記第１のシャフト（７０）によって支えられる第３のスコーリングホイール（７３）であって、前記ダンボールバンド（２）の前記第１の横方向のセクタ（４）上に第３のスコア線（１３）を実現するようにそれの軸に対して回転可能な第３のスコーリングホイール（７３）；前記第１のシャフト（７０）によって支えられる第４のスコーリングホイール（７４）であって、前記ダンボールバンド（２）の前記第２の横方向のセクタ（５）上に第４のスコア線（１４）を実現するようにそれの軸のまわりに回転可能な第４のスコーリングホイール（７４）を備え；前記第３のスコーリングホイール（７３）および前記第４のスコーリングホイール（７４）の位置が、前記ダンボールバンド（２）の前記第１の横方向のセクタ（４）上の前記第３のスコア線（１３）および前記ダンボールバンド（２）の前記第２の横方向のセクタ（５）上の前記第４のスコア線（１４）の位置をそれぞれ変更するために前記第１のシャフト（７０）に沿って調整可能であることを特徴とする器具（１０）。
【請求項１３】
請求項１２に記載の器具（１０）であって、前記スコーリング手段が更に：前記第１のシャフト（７０）によって支えられる第５のスコーリングホイール（７５）であって、前記ダンボールバンド（２）の前記第１の横方向のセクタ（４）上に第５のスコア線（１５）を実現するようにそれの軸に対して回転可能な第５のスコーリングホイール（７５）；前記第１のシャフト（７０）によって支えられる第６のスコーリングホイール（７６）であって、前記ダンボールバンド（２）の前記第２の横方向のセクタ（５）上に第６のスコア線（１６）を実現するようにそれの軸に対して回転可能な第６のスコーリングホイール（７６）を備え；前記第５のスコーリングホイール（７５）および前記第６のスコーリングホイール（７６）の位置が、前記ダンボールバンド（２）の前記第１の横方向のセクタ（４）上の前記第５のスコア線（１５）および前記ダンボールバンド（２）の前記第２の横方向のセクタ（５）上の前記第６のスコア線（１６）の位置をそれぞれ変更するように前記第１のシャフト（７０）に沿って調整可能であることを特徴とする器具（１０）。
【請求項１４】
前記第１の切断手段が前記スコーリング手段の下流に配置され、そして前記第２の切断手段（３９）が前記第１の切断手段の下流に配置されることを特徴とする請求項８−１３のうちいずれか一項に記載の器具（１０）。
【請求項１５】
請求項８−１４のうちいずれか一項に記載の器具であって、前記ダンボールバンド（２）の前記供給手段がステップ−供給手段であり、そして前記第１の切断手段が：前記ダンボールバンド（２）のステップ−前進と同期して複数の切れ目（２１、２２、２５、２７）を実行するようにバンドの各領域（８）の前記第１の横方向のセクタ（４）に垂直に働く第１の断裁機（１２１）、および前記ダンボールバンド（２）の前記ステップ−前進と同期して複数の切れ目（２３、２４、２５、２８）を実行するようにバンドの各領域（８）の前記第２の横方向のセクタ（５）に垂直に働く第２の断裁機（１２２）を備えることを特徴とする器具。
【発明の詳細な説明】
【技術分野】
【０００１】
本発明は、本、ｄｖｄパック、紙の束などのような、物品の梱包に関する技術分野に関する。特に、本発明は梱包用のカートンおよび梱包用のカートンを使用して物品を梱包するための方法に関する。
【背景技術】
【０００２】
現在、物品の発送会社は送られるべき物品を梱包するためのカートンを定期的に取得して、かつ大量の梱包用のカートンをストックするために必要な大きさにされた倉庫を持たなければならない。これは、ロジスティックスを複雑にしてかつ顕著な寸法の倉庫の使用を要求する。
【発明の概要】
【発明が解決しようとする課題】
【０００３】
本発明の目的は、上述の欠点を取り除くことにある。
【課題を解決するための手段】
【０００４】
上記の目的は、請求項１に記載の物品を梱包するための方法および請求項８に従う物品を梱包するための器具を用いて達成される。
【０００５】
本発明によって、例えば大量の梱包用のカートンを得るためにダンボールバンドが繰り出されることができる梱包用のダンボールのリールを使用して梱包用のカートンが仕事の場所で直接実現されることができる。この方法を作動させるために、かつリールを格納するために要求される空間は、従来技術で他の場所で作成される梱包カートンを格納するために要求される空間より小さいことがわかっている；更にかつ有利には、カートンが発送会社の中で内部的に直ちに作成されることができるので、ロジスティックスが簡単にされ、および各梱包カートンの単価が有意に低下させられる。
【０００６】
請求項２によれば、梱包カートンは送られるべき物品にぴったりであることができる；カートンは、種々の寸法およびタイプを有することができる。
【０００７】
既知の技術では、しかしながら、発送会社は、さらに送られるべき物品の寸法に適応させるために異なる寸法の利用可能な梱包カートンを持たなければならなかった。
送られるべき物品が種々のサイズである可能性があるので、物品のために、オペレータは寸法に関して最も適切なカートンを選択しなければならなかった；カートンは次いで、箱形状および輸送中に物品に対するいかなる衝撃も吸収するフィラー材料（例えばポリスチレン）と共にこのように形成される箱内に挿入される物品を取るために操作された。これらの作業は、時間および使用する材料に関して高価だった；実際、梱包カートンのサイズはほとんど最適でなく、送られるべき物品にぴったりの梱包カートンのものに対してより大きかった；更に、送り出されるべき物品に対する梱包カートンのより大きな寸法が、物品とそれを含有する箱との間のすき間を占めるようにフィラー材料の使用によって埋め合わせられなければならない。
【図面の簡単な説明】
【０００８】
請求項内に規定されたものに従ってかつ図面の添付のテーブルの助けを借りて、本発明の特定の実施態様が本記述の以下の部分に記述され、そこにおいて：
【０００９】
【図１】オートメーション化した方法で物品を梱包するためのシステムを例示する小縮尺の斜視図であり、このシステムが本発明の器具を備える；
【図２】図１内の参照符Ｊ１によって示される図１の器具の一部の斜視図である；
【図３Ａ】作動ステップ中のスコーリングおよび切断ホイールを備えていてかつ図２内に例示されるユニットの正面の図である；
【図３Ｂ】調節ステップ中のスコーリングおよび切断ホイールを備えていてかつ図２内に例示されるユニットの正面の図である；
【図３Ｃ】次の作動ステップ中のスコーリングおよび切断ホイールを備えていてかつ図２内に例示されるユニットの正面の図である；
【図４】図３ＡのＫ１のより大縮尺の詳細図である；
【図５】図３ＡのＫ２のより大縮尺の詳細図である；
【図６】図３ＡのＫ３のより大縮尺の詳細図である；
【図７Ａ】相対的はさみの調節ステップを示す目的の２つの連続した瞬間中の、図２内に例示される第１の切断手段の上方からの図である；
【図７Ｂ】相対的はさみの調節ステップを示す目的の２つの連続した瞬間中の、図２内に例示される第１の切断手段の上方からの図である；
【図８】切断ユニットのはさみによって取られる２つの異なった位置を示す図７Ａの断面ＶＩＩＩ〜ＶＩＩＩのより大縮尺の図であり、一方が実線で示され、他方が破線で示される；
【図９Ａ】はさみによって取られる上述の位置を示す図８の断面ＩＸ〜ＩＸの図である；
【図９Ｂ】はさみによって取られる上述の位置を示す図８の断面ＩＸ〜ＩＸの図である；
【図１０Ａ】図１内に参照符Ｊ２で示される図１の器具の一部である第２の切断手段の上方からの図であり、これらの図は、２つの有意な連続した瞬間を示す；
【図１０Ｂ】図１内に参照符Ｊ２で示される図１の器具の一部である第２の切断手段の上方からの図であり、これらの図は、２つの有意な連続した瞬間を示す；
【図１１】図１０Ａの断面ＸＩ〜ＸＩのより大縮尺の図である；
【図１２Ａ】図１の器具によって得られる梱包カートンの斜視図であり、この梱包カートンが図１内の参照符Ｊ３で示される；
【図１２Ｂ】図１２Ａの詳細Ｋ４のより大縮尺の図である；
【図１２Ｃ】第１の梱包カートンの第１の折り曲げステップの斜視図である；
【図１３Ａ】第１の折り曲げステップが完了されたあと、第１の梱包カートン上に載置される第１の物品の放出を例示している斜視図である；
【図１３Ｂ】第１の折り曲げステップが完了されたあと、同じく本発明の器具によって得られる第２の梱包カートン上に載置される第２の物品の放出を例示している斜視図である；
【図１４】第１の梱包カートンの第２の折り曲げステップが完了されたあと、第１の物品の上側に載置される文書の放出を例示している斜視図である；
【図１５】第１の梱包カートンの第３の折り曲げステップが完了されたあと、第１の梱包カートンの一部上の接着剤の塗布を例示している斜視図である；
【図１６】第１の物品を含有する封止パックを得るための第１の梱包カートンの第４の折り曲げステップを例示している斜視図である；
【図１７Ａ】第４の折り曲げステップが完了されたあと、カートンを例示する、かつラベルの貼付けを例示する斜視図である；
【図１７Ｂ】図１７Ａのそれに類似した図であるが、梱包が図１３Ｂの第２の物品を含有し、かつ図１３Ｂの第２の梱包カートンを使用して得られたことが異なる；
【図１８】図２のそれに類似の図であるが、図１の器具の第１の切断手段の変形を例示している。
【発明を実施するための形態】
【００１０】
梱包用のカートン（１）を実現するための方法が、その不可欠な態様において、以下のステップ、すなわち：
ａ）ダンボールバンド（２）の展開方向と平行である前進方向（Ａ）に沿って梱包用のダンボールバンド（２）を供給するステップ；（図１）；
ｂ）ダンボールバンド（２）上の第１のスコア線（１１）および第２のスコア線（１２）（図２、３Ａ−３Ｂ）を、第１のスコア線（１１）および第２のスコア線（１２）が展開方向と平行であるようにし、かつ以下、すなわち：第１のスコア線（１１）と第２のスコア線（１２）との間に含まれる中心セクタ（３）；第１のスコア線（１１）とダンボールバンド（２）の第１の横方向の端部（６）との間に含まれる第１の横方向のセクタ（４）；および第２のスコア線（１２）と第１の横方向の端部（６）の反対側にあるダンボールバンド（２）の第２の横方向の端部（７）との間に含まれる第２の横方向のセクタ（５）（図２、１２Ａ）が識別されるステップ；
ｃ）ダンボールバンド（２）バンド上の領域（８）（以下でお互いに連続的である領域と称する）を識別するステップ（図２）；
ｄ）各バンド領域（８）で、ダンボールバンド（２）の展開方向に対して横の方向に作られる、少なくとも第１の切れ目（２１）、第２の切れ目（２２）、第３の切れ目（２３）および第４の切れ目（２４）を実施するステップであって：第１の閉鎖翼（４９）、第１の補強翼（５１）および第２の補強翼（５２）が第１の横方向のセクタ（４）に画定されるように、第１の切れ目（２１）および第２の切れ目（２２）が、第１の横方向のセクタ（４）で実行されてかつ第１のスコア線（１１）まで伸び、第１の閉鎖翼（４９）が第１の補強翼（５１）と第２の補強翼（５２）との間に挿入され；第２の閉鎖翼（５０）、第３の補強翼（５３）および第４の補強翼（５４）が第２の横方向のセクタ（５）に画定されるように、第３の切れ目（２３）および第４の切れ目（２４）が、第２の横方向のセクタ（５）に実行されてかつ第２のスコア線（１２）まで伸び、第２の閉鎖翼（５０）が第３の補強翼（５３）と第４の補強翼（５４）との間に挿入され；第１の閉鎖翼（４９）が第２の閉鎖翼（５０）の反対側であり、第１の補強翼（５１）が第３の補強翼（５３）の反対側であり、第２の補強翼（５２）が第４の補強翼（５４）の反対側であるステップ；
ｅ）お互いに上記のバンド領域（８）を隔てるように、横方向にダンボールバンド（２）を切断し（図１０Ａ、１０Ｂ、１１）、したがって梱包用のカートン（１）を得るステップを含む。
【００１１】
このように得られる梱包用の各カートン（１）が以下の必要条件を有するように、上記のステップがカートン（２）のバンドに実行される：梱包されるべき物品（９）が、第１の閉鎖翼（４９）と第２の閉鎖翼（５０）との間の中心セクタ（３）上に載置される時（図１３Ａ、１３Ｂ）：
第１の閉鎖翼（４９）が、物品（９）の少なくとも第１の側面を包むように中心セクタ（３）の方へ折り曲げ可能である；第２の閉鎖翼（５０）が、相対的第１の側面（４１）の反対側にある物品（９）の少なくとも第２の側面（４２）を包むように中心セクタ（３）の方へ折り曲げ可能である（図１３Ａ、１３Ｂ）；第１の補強翼（５１）および第３の補強翼（５２）が、物品（９）の少なくとも第３の側面（４３）を包むように折り曲げ可能である第１の重ね合わせ群（１７）を形成するために重ね合わせられる第１の補強翼（５１）、第３の補強翼（５３）および中心セクタ（３）の第１の部分（１０１）をお互いに少なくとも部分的に重ね合わせるように、第１の補強翼（５１）および第３の補強翼（５３）が好ましくは中心セクタ（３）の方へ折り曲げ可能である（物品（９）の第３の側面（４３）は、相対的第１の側面（４１）と第２の側面（４２）との間に含まれる）；第２の補強翼（５２）および第４の補強翼（５４）が相対的第３の側面（４３）の反対側にある物品（９）の少なくとも第４の側面（４４）を包むように折り曲げ可能である第２の重ね合わせ群（１８）を形成するために重ね合わせられる第２の補強翼（５２）、第４の補強翼（５４）および中心セクタ（３）の第２の部分（１０２）が少なくとも部分的に相互に重ね合わせられるように、第２の補強翼（５２）および第４の補強翼（５４）が好ましくは中心セクタ（３）の方へ折り曲げ可能である。
【００１２】
第１のスコーリング線（１１）および第２のスコーリング線（１２）は、第１の補強翼（５１）、第１の閉鎖翼（４９）、第２の補強翼（５２）、第３の補強翼（５３）、第２の閉鎖翼（５０）および第４の補強翼（５４）がそれに対して回転することができる対応するヒンジ軸として機能する。
【００１３】
第１の重ね合わせ群（１７）および第２の重ね合わせ群（１８）は、他方、何のスコーリング線のまわりにも回転しない；これは、中心セクタ（３）上に載置される物品（９）の第３の側面（４３）および第４の側面（４４）に対してそれぞれ第１の重ね合わせ群（１７）および第２の重ね合わせ群（１８）の簡単な折り曲げをいずれにせよ得ることに適している材料の構造体を有するダンボールバンド（２）を選ぶことを要求する。ダンボールバンド（２）の構造体に関して、それは好ましくは平面展開部を有する第１のシート（２９）および波形の展開部を有する第２のシート（３０）から構成される；第２のシート（３０）は、第１のシート（２９）に固定される、図１２Ｂを参照。このように得られるダンボールバンド（２）は有利には、柔軟性および折り曲げ性の良い特性を呈してかつリール（１９）に巻回されさえすることができる（図１）；上記の構造体を有するダンボールバンド（２）は、一般に市場で入手可能な材料で作ることができる。
【００１４】
さらに、ダンボールバンド（２）は上方向へ向けられる第２のシート（３０）を好ましくは供給されることができる；このように、梱包されるべき物品（９）が中心セクタ（３）上へ放出される時、物品（９）は第２のシート（３０）と接触する；以下に明確になるように、これは、梱包カートン（１）の折り曲げによって得られるパックが第１のシート（２９）（図１７Ａ、１７Ｂ）だけを外部的に呈するようであり、それがカートン自体により大きな程度の剛性、および衝撃または切断に対する耐性を与える。
【００１５】
上記の方法ステップは好ましくは、ａ）からｅ）への順序で実施される；しかしながら、ステップは異なる順序、例えばａ）、ｃ）、ｄ）、ｂ）、ｅ）で実施されることができる。
【００１６】
第１の折り目線（１１）および第２の折り目線（１２）の位置は、カートン（２）のバンドの軸に対して好ましくは対称であるように選ばれる。結果として、第１の横方向のセクタ（４）は第２の横方向のセクタ（５）と同一である。
【００１７】
更に、好ましくは、第１の切れ目（２１）は第３の切れ目（２３）と位置合わせされ、および第２の切れ目（２２）は第４の切れ目（２４）と位置合わせされる。それゆえに、以下が生じる：第１の補強翼（５１）および第３の補強翼（５３）は、お互いに同一でかつカートン（２）のバンドの軸に対して対称的に配置され、第２の補強翼（５２）および第４の補強翼（５４）は、お互いに同一でかつカートン（２）のバンドの軸に対して対称的に配置される；第１の閉鎖翼（４９）および第２の閉鎖翼（５０）は、お互いに同一でかつカートン（２）のバンドの軸に対して対称的に配置される。
【００１８】
展開方向に垂直に測定される第１の横方向のセクタ（４）および第２の横方向のセクタ（５）の拡張部分は、各々好ましくは中心セクタ（３）の対応する拡張部分の５０％と１００％との間に（図１３Ａ）含まれる；このように、第１の補強翼（５１）および第３の補強翼（５３）がお互いに少なくとも部分的に重ね合わせることが確実にされる。したがって、第１の重ね合わせ群（１７）および第２の重ね合わせ群（１８）は有利には、各々梱包されるべき物品（９）の第３の側面（４３）および第４の側面（４４）をそれぞれ保護するための少なくとも２層はあるダンボール（最大３層のダンボールまで）によって特徴付けられる。
【００１９】
上記から明確であることは、梱包されるべき物品（９）のタイプに従って第１の補強翼（５１）と第３の補強翼（５３）との間のおよび第２の補強翼（５２）と第４の補強翼（５４）との間の重ね合わせの程度を「調節する」ことが可能である（例えば、割れ物（９）は最大可能な数の層のダンボールで梱包されることができる）ことである。
【００２０】
バンドの各領域（８）は好ましくは、ダンボールバンド（２）の幅と等しい、展開方向に垂直な方向に測定される展開部を有する。
【００２１】
好ましくは、バンドの各領域（８）で、第１の切れ目（２１）、第２の切れ目（２２）、第３の切れ目（２３）および第４の切れ目（２４）が、第１のウィンドウ（３１）、第２のウィンドウ（３２）、第３のウィンドウ（３３）および第４のウィンドウ（３４）がそれぞれ識別されるように各々バンドの同じ領域（８）の材料の対応する細片の除去を引き起こす；ウィンドウの各々は、好ましくは矩形開口を形成する。
【００２２】
以下により完全に説明するように、バンドの各領域（８）に作られる切れ目が対応するウィンドウを画定することは非常に有利である。
【００２３】
第１の折り曲げ細片（６１）が、中心セクタ（３）の幅と等しい展開方向に垂直に測定される長さならびに第１のウィンドウ（３１）および第３のウィンドウ（３３）の幅と等しい展開方向と平行に測定される幅を有して、中心セクタ（３）で画定される；この第１の折り曲げ細片（６１）は、第１の重ね合わせ群（１７）と接していてかつ第１の重ね合わせ群（１７）に対する横のスコア線を同等に代表し、第１の重ね合わせ群（１７）が中心セクタ（３）上に載置される物品（９）の第３の側面（４３）に対して折り曲げられる時、第１の重ね合わせ群（１７）が第１の折り曲げ細片（６１）のまわりに回転する（図１４）。少なくとも２層はあるダンボール（第１層は中心セクタ（３）によって形成され、および第２層は第１の補強翼（５１）によってまたは第３の補強翼（５３）によって形成される）を有する第１の重ね合わせ群（１７）とは異なって、第１の折り曲げ細片（６１）がダンボールの単一層によって形成されるので、第１の重ね合わせ群（１７）は第１の折り曲げ細片（６１）のまわりに容易に回転する。
【００２４】
さらに、第２の折り曲げ細片（６２）が、中心セクタ（３）の幅と等しい展開方向に垂直に測定される長さならびに第２のウィンドウ（３２）および第４のウィンドウ（３４）の幅と等しい展開方向と平行に測定される幅を有して、中心セクタ（３）で画定される；この第２の折り曲げ細片（６２）は第２の重ね合わせ群（１８）と接していてかつ第２の重ね合わせ群（１８）に対する横のスコア線を同等に代表し、第２の重ね合わせ群（１８）が中心セクタ（３）上に載置される物品（９）の第４の側面（４４）に対して折り曲げられる時、第２の重ね合わせ群（１８）が第２の折り曲げ細片（６２）（図１４）のまわりに回転する。少なくとも２層はあるダンボール（第１層は中心セクタ（３）によって形成され、および第２層は第２の補強翼（５２）によってまたは第４の補強翼（５４）によって形成される）を有する第２の重ね合わせ群（１８）とは異なって、第２の折り曲げ細片（６２）がダンボールの単一層によって形成されるので、第２の重ね合わせ群（１８）は第２の折り曲げ細片（６２）のまわりに容易に回転する。
【００２５】
梱包カートン（１）は、物品（９）の含有包装紙それ自体を好ましくは形成する目的で梱包されるべき物品（９）に従って設計される；このために、梱包カートン（１）は物品（９）の底部および側面だけでなく、好ましくはさらに少なくとも１層のカートン（１）を用いて物品（９）の上側も覆わなければならない。物品（９）の上側のカバーを得るために、梱包カートン（１）が以下に記述される第１の条件および／または第２の条件が満たされることができるように必要な大きさにされることができる。第１の条件は、第１の重ね合わせ群（１７）および第２の重ね合わせ群（１８）が物品（９）の上側でお互いに部分的に重ね合わせる程度まで、第１の重ね合わせ群（１７）および第２の重ね合わせ群（１８）が、物品（９）の第３の側面（４３）および上側の第１の部分ならびに物品（９）の第４の側面（４４）および上側の第２の部分をそれぞれ包むように必要な大きさにされることである。物品（９）の上側の第１の部分および物品（９）の上側の第２の部分は、部分的にお互いに重ね合わせてかつ共に物品（９）の上側を完全に含む。第２の条件は、第１の閉鎖翼（４９）および第２の閉鎖翼（５０）が物品（９）の上側でお互いに部分的に重ね合わせる程度まで、第１の閉鎖翼（４９）および第２の閉鎖翼（５０）が、物品（９）の第１の側面（４１）および上側の第３の部分ならびに物品（９）の第２の側面（４２）および上側の第４の部分をそれぞれ包むように必要な大きさにされることである。物品（９）の上側の第３の部分および物品（９）の上側の第４の部分は、部分的にお互いに重ね合わせてかつ共に物品の上側を完全に含む。
【００２６】
図（図１３、１４）内に例示される梱包カートン（１）は、第１および第２の条件の両方が満たされたことを明確に示す：したがって、物品（９）の上側は少なくとも２層はあるダンボールでそれのすべての点で完全に覆われる。
【００２７】
図１４は、文書（６５）（例えばインボイス）が、梱包が完了される前に物品（９）の上側に載置されるように挿入されるステップを例示する。
【００２８】
物品（９）を含有する包装を形成する目的の梱包カートン（１）の以下の封止は、図１５にて図示したように、梱包カートン（１）の適切な部分上に接着剤の層を塗布することによって実質的に既知の方法で実現されることができる。
【００２９】
図１６は、包装の封止および閉鎖を実現するために第１の重ね合わせ群（１７）に対する第２の重ね合わせ群（１８）の折り曲げを示す。
【００３０】
図１７Ａは、包装にラベル（６６）を貼り付けるステップを例示する。
【００３１】
その不可欠な態様において、上記の方法を作動させる梱包用のカートン（１）を実現するための器具（１０）が：
ダンボールバンド（２）を供給するための供給手段；
ダンボールバンド（２）上に第１のスコア線（１１）および第２のスコア線（１２）を作るためのスコーリング手段；
ダンボールバンド（２）上でバンド領域（８）を識別するための識別手段；
各バンド領域（８）上で少なくとも第１の切れ目（２１）、第２の切れ目（２２）、第３の切れ目（２３）および第４の切れ目（２４）を実現するための第１の切断手段；
ダンボールバンド（２）を横方向に切断してかつお互いにバンド領域（８）を隔て、したがって梱包用のカートン（１）を得るための第２の切断手段を備える。
【００３２】
供給手段は、カートン（２）のバンドが繰り出すリール（１９）を活性化する電気モータ（例示されない）を含むことができる。
【００３３】
スコーリング手段は、好ましくは：前進するダンボールバンド（２）より上に配置される第１のシャフト（７０）；第１のシャフト（７０）によって支えられる第１のスコーリングホイール（７１）であって、第１のスコア線（１１）を実現するようにそれの軸に対して回転可能な第１のスコーリングホイール（７１）；第１のシャフト（７０）によって支えられる第２のスコーリングホイール（７２）であって、第２のスコア線（１２）を実現するようにそれの軸に対して回転可能な第２のスコーリングホイール（７２）を備える。
【００３４】
第１のシャフト（７０）は、器具（１０）のフレーム（６７）に拘束されることができる。
【００３５】
スコーリング手段は、更に：第１のシャフト（７０）に拘束されかつ次に第１のスコーリングホイール（７１）を支える第１の支持体（８１）；第１のシャフト（７０）に拘束されかつ次に第２のスコーリングホイール（７２）を支える第２の支持体（８２）を備えることができる。
【００３６】
第１のスコーリングホイール（７１）および第２のスコーリングホイール（７２）は好ましくは、アクチュエータ（例示されない）によって回転に引き込まれる。
【００３７】
スコーリング手段は、好ましくはダンボールバンド（２）の供給の区域の固定位置を占める（図１、２）。これは、第１のシャフト（７０）がダンボールバンド（２）の展開方向に沿って移動しないことを意味する；したがって、第１のスコーリングホイール（７１）および第２のスコーリングホイール（７２）は下にあるダンボールバンド（２）の前進のおかげで第１のスコア線（１１）および第２のスコア線（１２）を実行する。
【００３８】
ダンボールバンド（２）上のバンドの領域（８）を識別するための手段は器具（１０）の例示されない制御ユニットであることができる。制御ユニットは、梱包されるべき物品（９）の寸法に基づいてバンドの各領域（８）の寸法を定めることができる；更に、制御ユニットはリール（１９）の活性化を調節することができて、したがっていつでもバンドの各領域（８）に戻すことができる。
【００３９】
第１の切断手段は、スコーリング手段の好ましくは下流に配置される（図１、２）。
【００４０】
第１の切断手段は、好ましくは：バンドの各領域（８）で第１の切れ目（２１）および第２の切れ目（２２）をそれぞれ実施するようにダンボールバンドの第１の横方向の端部（６）に働く第１のはさみ（９１）および第２のはさみ（９２）；バンドの各領域（８）で第３の切れ目（２３）および第４の切れ目（２４）をそれぞれ実施するようにダンボールバンド（２）の第２の横方向の端部（７）に働く第３のはさみ（９３）および第４のはさみ（９４）を備える。
【００４１】
第１のはさみ（９１）、第２のはさみ（９２）、第３のはさみ（９３）および第４のはさみ（９４）は、ダンボールバンド（２）に働くために好ましくは同時に活性化される；好ましくは、ダンボールバンド（２）は第１の切れ目（２１）、第２の切れ目（２２）、第３の切れ目（２３）および第４の切れ目（２４）をそれぞれ実施するために第１のはさみ（９１）、第２のはさみ（９２）、第３のはさみ（９３）および第４のはさみ（９４）に対して必要な時間の間停止する。各はさみがダンボールバンド（２）を切り離したあと、バンド（２）は前進するように新しく作動される。
【００４２】
第１のはさみ（９１）、第２のはさみ（９２）、第３のはさみ（９３）および第４のはさみ（９４）は、好ましくは：お互いに同一であり、かつダンボールバンド（２）のバンドの各領域（８）から材料の対応する細片を除去するように各々順応し、この方法を参照して識別される上記の画定されたウィンドウを残す。したがって、第１のはさみ（９１）によって作成される各第１の切れ目（２１）が、バンドの対応する領域（８）の第１のウィンドウ（３１）を画定し、第２のはさみ（９２）によって作成される各第２の切れ目（２２）が、バンドの対応する領域（８）の第２のウィンドウ（３２）を画定し、第３のはさみ（９３）によって作成される各第３の切れ目（２３）が、バンドの対応する領域（８）の第３のウィンドウ（３３）を画定し、および第４のはさみ（９４）によって作成される各第４の切れ目（２４）が、バンドの対応する領域（８）の第４のウィンドウ（３４）を画定する。
【００４３】
図８、９Ａ、９Ｂは上記のはさみの１つ、この場合第４のはさみ（９４）の可能な構造および機能を例示する：第４のはさみ（９４）は、お互いにヒンジ結合される上方刃および下方対刃を有する。上方刃の刃縁のプロファイルは好ましくは言及されたように、ダンボールバンド（２）から材料の細片を除去し、かつバンドの領域（８）内に識別される第４のウィンドウ（３４）を残すようにＵ字型を有する。
【００４４】
第２の切断手段（３９）は好ましくは、第１の切断手段の下流に配置され、かつ言及されたように、バンドの領域（８）をお互いに隔てる目的でダンボールバンド（２）上で横方向の切断を実施してかつ対応する梱包カートン（１）を得るように働く。
【００４５】
図１８を参照して、器具の変形の記述が続く。ダンボールバンド（２）の供給手段が、ステップ−供給手段である。更に、第１の切断手段が：ダンボールバンド（２）のステップ前進と同期して複数の切れ目（２１、２２、２５、２７）を実施するようにバンドの各領域（８）の第１の横方向のセクタ（４）に垂直に働く第１の断裁機（１２１）；ダンボールバンド（２）のステップ前進と同期して複数の切れ目（２３、２４、２５、２６）を実施するようにバンドの各領域（８）の第２の横方向のセクタ（５）に垂直に働く第２の断裁機（１２２）を備える。
【００４６】
詳細に、第１の断裁機（１２１）が第１の切れ目（２１）および第２の切れ目（２２）を実施し、一方第２の断裁機（１２２）が第３の切れ目（２３）および第４の切れ目（２４）を実施する。
【００４７】
第１の断裁機（１２１）および第２の断裁機（１２２）は好ましくは、第２の切れ目（２２）および第４の切れ目（２４）を実現し、かつ連続して第１の切れ目（２１）および第３の切れ目（２３）を実現するためにお互いに位置合わせされてかつバンドが静止時、ダンボールバンド（２）のバンドの各領域（８）に垂直に働く。
【００４８】
第１の断裁機（１２１）および第２の断裁機（１２２）は好ましくは、同時に働く。
【００４９】
第１の断裁機（１２１）および第２の断裁機（１２２）は好ましくは、お互いに同一であり、かつダンボールバンド（２）のバンドの各領域（８）から材料の対応する細片を除去するために各々順応し、この方法を参照して識別される上記のウィンドウを残す。したがって、第１の断裁機（１２１）によって作成される各第１の切れ目（２１）が、バンドの対応する領域（８）の第１のウィンドウ（３１）を画定し、第１の断裁機（１２１）によって作成される各第２の切れ目（２２）が、バンドの対応する領域（８）の第２のウィンドウ（３２）を画定し、第２の断裁機（１２２）によって作成される各第３の切れ目（２３）が、バンドの対応する領域（８）の第３のウィンドウ（３３）を画定し、および第２の断裁機（１２２）によって作成される各第４の切れ目（２４）が、バンドの対応する領域（８）の第４のウィンドウ（３４）を画定する。図１２Ａを参照。
【００５０】
第１の断裁機（１２１）および第２の断裁機（１２２）は、垂直に可動性である上方刃（１２３）および固定される下方刃（１２４）を各々備えることができる。第１の断裁機（１２１）の上方刃（１２３）の刃縁のプロファイルは、言及されたように、ダンボールのバンド（２）から材料の細片を除去し、かつバンドの領域（８）内に識別される第３のウィンドウ（３３）または第４のウィンドウ（３４）を残すように好ましくはＵ字型を呈する。第２の断裁機（１２２）の上方刃（１２３）の刃縁のプロファイルはダンボールバンド（２）から材料の細片を除去し、かつバンドの領域（８）内に識別される第３のウィンドウ（３３）または第４のウィンドウ（３４）を残すように、好ましくはＵ字型である。
【００５１】
この方法は、好ましくは、梱包されるべき物品（９）の寸法に従って以下を選択的に調節するステップを更に含む：
第１のスコア線（１１）の位置；および／または
第２のスコア線（１２）の位置；および／または
拡張方向に対して平行方向に測定される各バンド領域（８）の拡張部分、およびそれゆえにバンド領域（８）をお互いに隔てるためにダンボールバンド（２）を横方向に切断する位置；および／または
各バンド領域（８）の内部的に第１の切れ目（２１）、第２の切れ目（２２）、第３の切れ目（２３）および第４の切れ目（２４）の位置。
【００５２】
これらの調節は、更に梱包されるべき物品（９）の第３の側面（４３）、第４の側面（４４）および上側を包む複数の層のダンボールを有利には確立することを可能にする。
【００５３】
第１のスコア線（１１）および／または第２のスコア線（１２）の位置を調節するために：指定されたように器具（１０）のフレーム（６７）に拘束される第１のシャフト（７０）が、前進するダンボールバンド（２）に対して近づくようにかつ遠ざけるように特に可動性であること；ならびに、第１のスコーリングホイール（７１）および第２のスコーリング線（７２）の位置が、第１のシャフト（７０）に沿って調整可能であることが好ましい。
【００５４】
したがって、第１のシャフト（７０）は、垂直方向に前進するダンボールバンド（２）に近づいてかつ遠ざけることを可能にする自由度でフレーム（６７）に拘束されることができる。図（図２を参照）内に例示される例において第１のシャフト（７０）の端部は、器具（１０）のフレーム（６７）の対応する要素内に形作られる垂直ガイドに係合する。
【００５５】
第１のスコーリングホイール（７１）および第２のスコーリングホイール（７２）が第１のシャフト（７０）に沿って容易に移動することができるように、第１の支持体（８１）および第２の支持体（８２）はしたがって、（摺動ガイドとして機能する）第１のシャフト（７０）に沿って摺動することが可能なキャリジであることができ、梱包されるべき物品（９）の寸法に従って第１のスコア線（１１）および第２のスコア線（１２）の位置の調節を可能にする。
【００５６】
バンドが第１の切れ目（２１）、第２の切れ目（２２）、第３の切れ目（２３）および第４の切れ目（２４）を実行するために一時的に止められることができることが指定される。
【００５７】
バンドの第１の領域（Ｒ１）およびバンドの連続した第２の領域（Ｒ２）から遷移中に第１のスコア線（１１）および第２のスコア線（１２）の位置を変更することが必要である場合には、バンドが静止時、第１のシャフト（７０）、第１のスコーリングホイール（７１）および第２のスコーリングホイール（７２）を移動することが可能である。したがって、バンドの第１の領域（Ｒ１）とバンドの第２の領域（Ｒ２）との間に、ダンボールバンド（２）の幅と等しい展開方向に垂直に測定される長さを有する余分な細片（２０）が画定され；第１のスコア線（１１）および第２のスコア線（１２）の不連続性が、この余分な細片（２０）内に明確に認識されることができる。第１のシャフト（７０）、第１のスコーリングホイール（７１）および第２のスコーリングホイール（７２）の調節が実行される場合、バンドが静止時、展開方向と平行して測定される余分な細片（２０）の幅は最小である；代わりとして、これらの調節がダンボールバンド（２）の動作中に実行される場合、幅はより大きく、かつバンドの前進速度に依存する。
【００５８】
除去されるべき余分な細片（２０）の寸法を限定するために、ダンボールバンド（２）が静止時、第１のシャフト（７０）、第１のスコーリングホイール（７１）および第２のスコーリングホイール（７２）の調節が行われることが好ましい。余分な細片（２０）が最小幅を有することは、更なる利点を有する：実際、第２の切断手段（３９）の刃の刃縁がＵ字型の（図１１）場合、かつ余分な細片（２０）の面積と少なくとも等しい面積を有するダンボールバンド（２）の細片を除去するための適切な寸法として（図１０Ａ、１０Ｂ）、単一切断作業によって（さらにバンドの第１の領域（Ｒ１）とバンドの第２の領域（Ｒ２）との間の分離を実行する）第２の切断手段（３９）を使用して、余分な細片（２０）を除去することが可能である。展開方向と平行のバンドの各領域（８）の拡張部分は、横方向にダンボールバンド（２）を切断するために第２の切断手段（３９）の介入時間を調節することによってその代わりに確立されることができる；例えば、介入時間を長くすることによって、より大きな拡張部分を有するバンドの領域（８）が得られる。
【００５９】
第１の切れ目（２１）、第２の切れ目（２２）、第３の切れ目（２３）および第４の切れ目（２４）の位置を展開の方向に沿って変更するために、第１のはさみ（９１）、第２のはさみ（９２）、第３のはさみ（９３）および第４のはさみ（９４）が、展開方向に沿って可動性にされることができる；更に、これらの切れ目の深さ（したがって、拡張部分）を変更するために（切れ目が好ましくは次に調整可能な、かつしたがって可動性である第１のスコア線（１１）および第２のスコア線（１２）に到達しなければならないことに注意）はさみは、さらに展開方向に対して垂直な方向にも可動性にされることができる。
【００６０】
はさみの位置の調節は、ダンボールバンド（２）の前進中に、すなわちそれらが切断を実行する必要がない時、生じることができる；この場合、ダンボールバンド（２）が止められている時だけ、はさみは切断を実行しなければならない。
【００６１】
図７Ａ、７Ｂは、バンドの第２の領域（Ｒ２）で実行される切断が、バンドの第１の領域（Ｒ１）で既になされた切断とは異なる位置でなければならないという前提で展開方向に対して平行および垂直な方向の第１のはさみ（９１）、第２のはさみ（９２）、第３のはさみ（９３）および第４のはさみ（９４）の動きを示す。
【００６２】
図１８内に例示される器具の変形を参照して、展開方向に沿って第１の切れ目（２１）、第２の切れ目（２２）、第３の切れ目（２３）および第４の切れ目（２４）の位置を変更するためにダンボールバンド（２）の停止位置を修正することで十分であり、これは、それが第１の断裁機（１２１）および第２の断裁機（１２２）を展開方向に対して平行方向に可動性にすることを要求しないのでとりわけ有利である。
【００６３】
これらの切れ目の深さ（したがって、拡張部分）を変更するために、第１の断裁機（１２１）および第２の断裁機（１２２）が展開方向に対して垂直な方向に可動性であることができる。
【００６４】
梱包されるべき物品（９）は、既知の寸法（幅、長さ、高さ）を有することができるか、または物品（９）それ自体に配置されるラベル（６６）もしくはコードの読取りによって識別されることができる；梱包されるべき物品（９）の正確な寸法が既知でない場合、例えば、テレビカメラ（４０）を備える物品（９）の寸法を取得するためのシステムを使用することが可能である。
【００６５】
図１は：物品（９）が配置される第１の運搬装置（４５）；および適切なソフトウエアプログラムが物品（９）の寸法を得ることを可能にするために物品（９）の画像を取得する第１の運搬装置（４５）の上に配置されるＴＶカメラ（４０）を例示する。
【００６６】
一旦物品（９）の寸法が既知になると、バンドの領域（８）、したがって、物品（９）を梱包するための適切な特性を有する梱包カートン（１）を形状化することが可能である。
【００６７】
バンドの各領域（８）に対して、特性（第１のスコア線（１１）、第２のスコア線（１２）、切れ目の位置）および寸法（展開方向と平行して測定される長さ）を修正する可能性は、さらにかなり異なる寸法を有する物品（９）を梱包することを可能にする。
【００６８】
しかしながら梱包されることができる物品（９）の最小および最大寸法に対する限界が存在し、およびこの限界はダンボールバンド（２）の幅に依存する。
【００６９】
例えば、図１３Ａは、許される最小である展開方向に垂直に測定された幅を有する第１の物品（９）を例示する：実際、第１の補強翼（５１）および第３の補強翼（５３）がお互いにかつ中心セクタ（３）の第１の部分（１０１）に完全に重ね合わせ、一方第２の補強翼（５２）および第４の補強翼（５４）がお互いにかつ中心セクタ（３）の第２の部分（１０２）に完全に重ね合わせる。これは、展開方向に垂直に測定される第１の横方向のセクタ（４）および第２の横方向のセクタ（５）の拡張部分が、各々中心セクタ（３）の拡張部分に１００％対応することを意味する。
【００７０】
この方法は好ましくは、梱包されるべき物品（９）の寸法の関数としてダンボールバンド（２）の第１の横方向の端部（６）におよび／またはダンボールバンド（２）の第２の横方向の端部（７）に位置するダンボールバンド（２）の縁部細片を切断するステップまたは複数ステップを含む。
【００７１】
したがって、バンドの各領域（８）に対して、必要に応じて、以下を切断することが可能である：ダンボールバンド（２）の第１の横方向の端部（６）にもしくはダンボールバンド（２）の第２の横方向の端部（７）に位置する縁部細片；またはダンボールバンド（２）の軸に対して対称であるように好ましくはお互いに同一であるダンボールバンド（２）の第１の横方向の端部（６）に位置する第１の縁部細片（４６）およびダンボールバンド（２）の第２の横方向の端部（７）に位置する第２の縁部細片（４７）（図２）。
【００７２】
換言すれば、梱包されるべき物品（９）の寸法に従ってダンボールバンド（２）の幅を動的に変更することが可能である；それがお互いに異なる寸法を有するさらにより多種多様な物品（９）を梱包することを可能にするという点で、これは非常に有利である。
【００７３】
縁部細片を切断して、かつしたがって除去するために、器具（１０）は好ましくは切断ホイールを備える；切断ホイールは、第１のシャフト（７０）によって好ましくは支えられて、それの軸に対して回転可能でかつ円形刃縁に順応する。器具（１０）は、第１のシャフト（７０）に沿って摺動することができ、かつ切断されるべき縁部細片の展開方向に垂直に測定される幅を調節することが可能であるように切断ホイールを支える切断ホイールの支持体を備えることができる。
【００７４】
ダンボールバンドが切断作業のために停止する時、第１のシャフト（７０）に沿った切断ホイールの位置が好ましくは調節されることができる；この場合第１のシャフト（７０）が、ダンボールバンド（２）から遠ざけ（すなわち上がる）、および切断ホイールの支持体が、切断ホイールを新規の位置にもたらすために摺動することができる。
【００７５】
図は、第１の縁部細片（４６）および第２の縁部細片（４７）をそれぞれ切断するための第１の切断ホイール（６８）および第２の切断ホイール（６９）を例示する；第１の切断ホイール（６８）は、第１のシャフト（７０）に沿って摺動することができる第３の支持体（８３）にもたらされ、一方第１のシャフト（７０）に沿って摺動することができる第４の支持体（８４）によって、第２の切断ホイール（６９）が支えられる。
【００７６】
第１の縁部細片（４６）はしたがって、展開方向に対して平行方向に第１の切断ホイール（６８）によって長手方向に切断され、一方それをダンボールバンド（２）から明確に取り外す第２の切断手段（３９）によって、それが横方向に切断される。同様に、第２の縁部細片（４７）は展開方向に対して平行方向に第２の切断ホイール（６９）によって長手方向に切断され、一方それをダンボールバンド（２）から明確に取り外す第２の切断手段（３９）によって、それが横方向に切断される。
【００７７】
この方法は好ましくは、各バンド領域（８）で以下が更に実施されるステップを含む：第５の切れ目（２５）が第１の補強翼（５１）を２つの部分、すなわち第５の補強翼（５５）および第６の補強翼（５６）に分割するようにダンボールバンド（２）の拡張方向に対して横の方向に作られる；第６の切れ目（２６）が第３の補強翼（５３）を２つの部分、すなわち第７の補強翼（５７）および第８の補強翼（５８）に分割するようにダンボールバンド（２）の拡張方向に対して横の方向に作られる；第５の補強翼（５５）が第７の補強翼（５７）の反対側にあり、および第６の補強翼（５６）が第８の補強翼（５８）の反対側にある；第５の切れ目（２５）および第６の切れ目（２６）の位置が、拡張方向に沿って測定される第６の補強翼（５６）および第８の補強翼（５８）の拡張部分が、第１の閉鎖翼（４９）と第２の閉鎖翼（５０）との間の中心セクタ（３）上に載置される梱包されるべき物品（９）の第３の側面（４３）の高さに関連するように選ばれ、第３の側面（４３）が、第１のスコア線（１１）および第２のスコア線（５０）、第５の補強翼（５５）、第６の補強翼（５６）、第７の補強翼（５７）および第８の補強翼（５８）によってヒンジ結合される中心セクタ（３）の区域の方へ露出される。
【００７８】
第５の切れ目（２５）は、第６の切れ目（２６）と好ましくは位置合わせされる。
【００７９】
展開方向に沿って測定される第６の補強翼（５６）および第８の補強翼（５８）の拡張部分は、梱包されるべき物品（９）の第３の側面（４３）の高さ以上である（好ましくは等しい）。
【００８０】
第１の重ね合わせ群（１７）は、したがって：お互いに重ね合わせられる第５の補強翼（５５）および第７の補強翼（５７）によってならびに第５の補強翼（５５）および第７の補強翼（５７）が重ね合わせられる中心セクタ（３）の部分によって形成される第１の群（７７）；ならびにお互いに重ね合わせられる第６の補強翼（５６）および第８の補強翼（５８）によってならびに第６の補強翼（５６）および第８の補強翼（５８）が重ね合わせられる中心セクタ（３）の部分によって形成される第２の群（７８）を備える。
【００８１】
第５の切れ目（２５）および第６の切れ目（２６）は、中心セクタ（３）上に載置される物品（９）の第３の側面（４３）および上側の第１の部分を包むように第１の重ね合わせ群（１７）の折り曲げを促進する；特に、第２の群（７８）は物品（９）が載置される中心セクタ（３）の部分に対してある角度に、好ましくは９０°に配置され、および第１の群（７７）は物品（９）の上側の第１の部分を覆うために第２の群（７８）に対してある角度に、好ましくは９０°に配置される。
【００８２】
バンドの各領域（８）で、第５のウィンドウ（３５）および第６のウィンドウ（３６）が識別されるように第５の切れ目（２５）および第６の切れ目（２６）が好ましくはバンドの同じ領域（８）の材料の対応する細片の除去を引き起こす；第５のウィンドウ（３５）および第６のウィンドウ（３６）の両方が、対応する矩形開口を形成する。
【００８３】
結果として、第１の群（７７）と第２の群（７８）との間の中心セクタ（３）で、第３の折り曲げ細片（６３）が、中心セクタ（３）の幅と等しい展開方向に垂直に測定される長さならびに第５のウィンドウ（３５）および第６のウィンドウ（３６）の幅と等しい展開方向と平行して測定される幅を有して画定される；第３の折り曲げ細片（６３）は、第１の群（７７）と第２の群（７８）との間に挿入され、かつ第１の重ね合わせ群（１７）が物品（９）の第３の側面（４３）および上側の第１の部分に対して折り曲げられる時、第２の群（７８）に対して回転する（図１５、１６）第１の群（７７）に対する横のスコア線を同等に代表する。各々少なくとも２層はあるダンボールを有する第１の群（７７）および第２の群（７８）とは異なって第２の群（７８）から第１の群（７７）を隔てる第３の折り曲げ細片（６３）がダンボールの単一層によって形成されるので、第１の群（７７）は、第２の群（７８）に対して容易に回転する。
【００８４】
（第５のウィンドウ（３５）の形状を有することができる）第５の切れ目（２５）を形成するために、第１の切断手段は好ましくはダンボールバンド（２）の第１の横方向の端部（６）の側面に働く、かつ第１のはさみ（９１）に対して側面に位置する第５のはさみ（９５）を備える；好ましくは、（第６のウィンドウ（３６）の形状を有することができる）第６の切れ目（２６）を形成するために、第１の切断手段はダンボールバンド（２）の第２の横方向の端部（７）の側面に働く、かつ第３のはさみ（９３）に対して側面に位置する第６のはさみ（９６）を備える。
【００８５】
第５のはさみ（９５）および第６のはさみ（９６）は、上記ですでに検討された第１のはさみ（９１）、第２のはさみ（９２）、第３のはさみ（９３）および第４のはさみ（９４）と同じ特性および機能を有することができる。
【００８６】
図１８内に例示される器具の変形では（第５のウィンドウ（３５）の形状を有することができる）第５の切れ目（２５）および（第６のウィンドウ（３６）の形状を有することができる）第６の切れ目（２６）を形成するために、それぞれ第１の断裁機（１２１）および第２の断裁機（１２２）を使用することが可能である。
【００８７】
この方法が好ましくは各バンド領域（８）で、第７の切れ目（２７）が、第２の補強翼（５２）を２つの部分、すなわち第９の補強翼（５９）および第１０の補強翼（６０）に分割するようにダンボールバンド（２）の拡張方向に対して横方向に作られるステップ；第８の切れ目（２８）が、第４の補強翼（５４）を２つの部分、すなわち第１１の補強翼（９９）および第１２の補強翼（１００）に分割するようにダンボールバンド（２）の拡張方向に対して横方向に作られるステップ；第９の補強翼（５９）が第１１の補強翼（９９）の反対側にあり、および第１０の補強翼（６０）が第１２の補強翼（１００）の反対側にあるステップ；展開方向に沿って測定される第９の補強翼（５９）および第１１の補強翼（９９）の拡張部分が、第１の閉鎖翼（４９）と第２の閉鎖翼（５０）との間の中心セクタ（３）上に載置される梱包されるべき物品（９）の第４の側面（４４）の高さと関連するように、第７の切れ目（２７）および第８の切れ目（２８）の位置が選ばれ、第４の側面（４４）が、第１のスコア線（１１）および第２のスコア線（１２）、第９の補強翼（５９）、第１０の補強翼（６０）、第１１の補強翼（９９）および第１２の補強翼（１００）によってヒンジ結合される（以前に中心セクタ（３）の第２の部分（１０２）と称した）中心セクタ（３）の区域の方へ露出されるステップを含む。
【００８８】
第７の切れ目（２７）が好ましくは、第８の切れ目（２８）と位置合わせされる。
【００８９】
展開方向に沿って測定される第９の補強翼（５９）および第１１の補強翼（９９）の拡張部分は、好ましくは梱包されるべき物品（９）の第４の側面（４４）の高さ以上である（好ましくは等しい）。
【００９０】
第２の重ね合わせ群（１８）は、したがって：お互いに重ね合わせられる第１０の補強翼（６０）および第１２の補強翼（６０）および第１２の補強翼（１００）によって、ならびに第１０の補強翼（６０）および第１２の補強翼（１００）が重ね合わせる中心セクタ（３）の部分によって形成される第３の群（７９）；ならびにお互いに重ね合わせられる第９の補強翼（５９）および第１１の補強翼（９９）によって、ならびに第９の補強翼（５９）および第１１の補強翼（９９）が重ね合わせる中心セクタ（３）の部分によって形成される第４の群（８０）を備える。
【００９１】
第７の切れ目（２７）および第８の切れ目（２８）は、中心セクタ（３）上に載置される物品（９）の第４の側面（４４）および上側の第２の部分を包むように第２の重ね合わせ群（１８）の折り曲げを促進する；特に、物品（９）が載置される中心セクタ（３）の部分に対して、第４の群（８０）がある角度、好ましくは９０°に配置され、および第３の群（７）が、物品（９）の上側の第２の部分を覆うように第４の群（８０）に対してある角度、好ましくは９０°に配置される。
【００９２】
それぞれ、第７のウィンドウ（３７）および第８のウィンドウ（３８）が識別されるように、バンドの各領域（８）で、第７の切れ目（２７）および第８の切れ目（２８）が好ましくはバンドの同じ領域（８）の材料の対応する細片の除去を引き起こす；第７のウィンドウ（３７）および第８のウィンドウ（３８）の両方が、対応する矩形開口を形成する。
【００９３】
それゆえに、第４の折り曲げ細片（６４）が、中心セクタ（３）の幅と等しい展開方向に対して垂直に測定される長さならびに第７のウィンドウ（３７）および第８のウィンドウ（３８）の幅と等しい展開方向と平行して測定される幅を有して、第３の群（７９）と第４の群（８０）との間の、中心セクタ（３）に画定される；この第４の折り曲げ細片（６４）は、第３の群（７９）と第４の群（８０）との間に挿入され、かつ第２の重ね合わせ群（１８）が物品（９）の第４の側面（４４）および上側の第２の部分に対して折り曲げられる時第４の群（８０）に対して回転する第３の群（７９）に対して横方向のスコア線を同等に代表する（図１５、１６）。第４の群（８０）から第３の群（７９）を隔てる第４の折り目細片（６４）が、その代わりに各々少なくとも２層はあるダンボールを有する第３の群（７９）および第４の群（８０）とは異なって、ダンボールの単一層によって形成されるので、第３の群（７９）は、第４の群（８０）に対して容易に回転する。
【００９４】
（第７のウィンドウ（３７）と同じ形状を有することができる）第７の切れ目（２７）を形成するために、第１の切断手段がダンボールバンド（２）の第１の横方向の端部（６）に働く、かつ第２のはさみ（９２）に対して側面に位置する第７のはさみ（９７）を備える；好ましくは、（第８のウィンドウ（３８）と同じ形状を有することができる）第８の切れ目（２８）を形成するために、第１の切断手段がダンボールバンド（２）の第２の横方向の端部（７）に働く、かつ第４のはさみ（９４）に対して側面に位置する第８のはさみ（９８）を備える。
【００９５】
第７のはさみ（９７）および第８のはさみ（９８）は、上記ですでに検討された第１のはさみ（９１）、第２のはさみ（９２）、第３のはさみ（９３）、第４のはさみ（９４）、第５のはさみ（９５）および第６のはさみ（９６）と同じ特性および機能を有することができる。
【００９６】
図１８内に例示される器具の変形では、（第７のウィンドウ（３７）と同じ形状を有することができる）第７の切れ目（２７）および（第８のウィンドウ（３８）と同じ形状を有することができる）第８の切れ目（２８）を形成するために、それぞれ第１の断裁機（１２１）および第２の断裁機（１２２）を使用することが可能である。
【００９７】
この方法は、好ましくは更なるステップ、すなわち：拡張方向と平行であるバンドの第１の横方向のセクタ（４）上の第３のスコア線（１３）を、バンドの第１の部分（１０１）が第１のスコア線（１１）と第３のスコア線（１３）との間に含まれる第１の閉鎖翼（４９）内に識別され、およびバンドの第２の部分（１０２）が第３のスコア線（１３）と第１の閉鎖翼（４９）の自由端との間に含まれる第１の閉鎖翼（４９）内に識別されるように作り、展開方向に垂直な方向に沿って測定されるバンドの第１の部分（１０１）の拡張部分が、第１の閉鎖翼（４９）と第２の閉鎖翼（５０）との間の、中心セクタ（３）上に載置される梱包されるべき物品（９）の第１の側面（４１）の高さと関連するような方法で第３のスコア線（１３）の位置が選ばれ、第１の側面（４１）が第１の閉鎖翼（４９）の方へ露出されるステップ；拡張方向と平行であるバンドの第２の横方向のセクタ（５）上の第４のスコア線（１４）を、バンドの第３の部分（１０３）が第２のスコア線（１２）と第４のスコア線（１４）との間に含まれる第２の閉鎖翼（５０）内に識別され、およびバンドの第４の部分（１０４）が第４のスコア線（１４）と第２の閉鎖翼（５０）の自由端との間に含まれる第２の閉鎖翼（５０）内に識別されるように実現し、拡張方向に垂直な方向に沿って測定されるバンドの第３の部分（１０３）の拡張部分が、第１の閉鎖翼（４９）と第２の閉鎖翼（５０）との間の中心セクタ（３）上に載置される梱包されるべき物品（９）の第２の側面（４２）と高さ関連するように第４のスコア線（１４）の位置が選ばれ、第２の側面（４２）が第２の閉鎖翼（５０）の方へ露出されるステップを含む。
【００９８】
展開方向に垂直な方向に沿って測定されるバンドの第１の部分（１０１）の拡張部分は、好ましくは梱包されるべき物品（９）の第１の側面（４１）の高さ以上である（好ましくは等しい）；展開方向に垂直な方向に沿って測定されるバンドの第３の部分（１０３）の拡張部分は、梱包されるべき物品（９）の第２の側面（４２）の高さ以上である（好ましくは等しい）。
【００９９】
第１の閉鎖翼（４９）が中心セクタ（３）上に載置される物品（９）の第１の側面（４１）および上側の第３の部分を包むように中心セクタ（３）の方へ折り曲げられる時、物品（９）が載置される中心セクタ（３）に対して、第１のスコア線（１１）にヒンジ結合されるバンドの第１の部分（１０１）がある角度（好ましくは９０°）に回転し、一方第３のスコア線（１３）にヒンジ結合されるバンドの第２の部分（１０２）が、物品（９）の上側の第３の部分を覆うようにバンドの第１の部分（１０１）に対してある角度（好ましくは９０°）に回転する。
【０１００】
したがって、第１の閉鎖翼（４９）と第２の閉鎖翼（５０）との間の中心セクタ（３）上に載置される梱包されるべき物品（９）の第１の側面（４１）および上側の第３の部分を包むように、第３のスコア線（１３）が第１の閉鎖翼（４９）の折り曲げを促進する。
【０１０１】
第２の閉鎖翼（５０）が中心セクタ（３）上に載置される物品（９）の第２の側面（４２）および上側の第４の部分を包むように中心セクタ（３）の方へ折り曲げられる時、第２のスコア線（１２）にヒンジ結合されるバンドの第３の部分（１０３）が、物品（９）が載置される中心セクタ（３）に対してある角度（好ましくは９０°）に回転し、一方第４のスコア線（１４）にヒンジ結合されるバンドの第４の部分（１０４）が物品（９）の上側の第４の部分を覆うようにバンドの第３の部分（１０３）に対してある角度（好ましくは９０°）に回転する。
【０１０２】
したがって、第４のスコア線（１４）は、第１の閉鎖翼（４９）と第２の閉鎖翼（５０）との間の中心セクタ（３）上に載置される梱包されるべき物品（９）の第２の側面（４２）および上側の第４の部分を包むように第２の閉鎖翼（５０）の折り曲げを促進する。
【０１０３】
スコーリング手段は、好ましくは更に：第１のシャフト（７０）によって好ましくは支えられる第３のスコーリングホイール（７３）であって、第３のスコア線（１３）を実現するようにそれの軸に対して回転可能な第３のスコーリングホイール（７３）；第１のシャフト（７０）によって好ましくは支えられる第４のスコーリングホイール（７４）であって、第４のスコア線（１４）を実現するようにそれの軸に対して回転可能な第４のスコーリングホイール（７４）を備える。第１のシャフト（７０）、第３のスコーリングホイール（７３）および第４のスコーリングホイール（７４）が、第３のスコア線（１３）および第４のスコア線（１４）を実現するように下にある前進するダンボールバンド（２）に対して配置される。
【０１０４】
スコーリング手段は更に：第１のシャフト（７０）に拘束され、かつ次に第３のスコーリングホイール（７３）を支える第５の支持体（８５）；第１のシャフト（７０）に拘束され、かつ次に第４のスコーリングホイール（７４）を支える第６の支持体（８６）を備えることができる。
【０１０５】
第３のスコーリングホイール（７３）および第４のスコーリングホイール（７４）は、好ましくはアクチュエータ（例示されない）によって回転に引き込まれる。
【０１０６】
第３のスコア線（１３）および第４のスコア線（１４）の位置は、梱包されるべき物品（９）の寸法に従って調節されることができる；このために、第１のシャフト（７０）に沿って第３のスコーリングホイール（７３）および第４のスコーリングホイール（７４）の位置を調節することが可能である。
【０１０７】
第３のスコーリングホイール（７３）および第４のスコーリングホイール（７４）が、梱包されるべき物品（９）の寸法に従って第３のスコア線（１３）および第４のスコア線（１４）に沿って容易に移動することができるように、第５の支持体（８５）および第６の支持体（８６）がしたがって、（摺動ガイドとして機能する）第１のシャフト（７０）に沿って摺動することが可能なキャリジであることができる。
【０１０８】
バンドの第１の領域（Ｒ１）からバンドの連続した第２の領域（Ｒ２）（図２）まで通過する際に第３のスコア線（１３）および第４のスコア線（１４）の位置を変更することが必要な場合には、バンドが静止時、第１のシャフト（７０）、第３のスコーリングホイール（７３）および第４のスコーリングホイール（７４）が移動されることができる。
【０１０９】
この方法は、好ましくは更なるステップ、すなわち：拡張方向と平行でかつ第１のスコア線（１１）と第３のスコア線（１３）との間に含まれるバンドの第１の横方向のセクタ（４）上に、バンドの第５の部分（１０５）が、第１のスコア線（１１）と第５のスコア線（１５）との間に含まれるバンドの第１の部分（１０１）内に識別され、およびバンドの第６の部分（１０６）が第５のスコア線（１５）と第３のスコア線（１３）との間に含まれるバンドの第１の部分（１０１）内に識別されるように、第５のスコア線（１５）を実現し、第３のスコア線（１３）および第５のスコア線（１５）の位置が、それが特に梱包されるべき物品（９）の第１の側面（４１）の高さと関連する拡張方向に垂直な方向に沿って測定されるバンドの第６の部分（１０６）の拡張部分であるように選ばれるステップ；拡張方向と平行でかつ第２のスコア線（１２）と第４のスコア線（１４）との間に含まれるベルトの第２の横方向のセクタ（５）上に、バンドの第７の部分（１０７）が、第２のスコア線（１２）と第６のスコア線（１６）との間に含まれるバンドの第３の部分（１０３）内に識別され、およびバンドの第８の部分（１０８）が第６のスコア線（１６）と第４のスコア線（１４）との間に含まれるバンドの第３の部分（１０３）内に識別されるように、第６のスコア線（１６）を実現し、第４のスコア線（１４）および第６のスコア線（１６）の位置が、それが特に梱包されるべき物品（９）の第２の側面（４２）の高さと関連する拡張方向に垂直な方向に沿って測定されるバンドの第８の部分（１０８）の拡張部分であるように選ばれるステップを含む。
【０１１０】
第１の閉鎖翼（４９）は、第１の閉鎖翼（４９）と第２の閉鎖翼（５０）との間の、中心セクタ（３）上に載置される物品（９）の第１の側面（４１）および上側の第３の部分を包むために好ましくは：第１のスコア線（１１）にヒンジ結合するバンドの第５の部分（１０５）が、中心セクタ（３）に接着するようにある角度、好ましくは１８０°に回転し；第５のスコア線（１５）にヒンジ結合するバンドの第６の部分（１０６）が、物品（９）の第１の側面（４１）を包むように中心セクタ（３）およびバンドの第５の部分（１０５）に対してある角度、好ましくは９０°に回転し、第３のスコア線（１３）にヒンジ結合するバンドの第２の部分（１０２）が、包まれるべき物品（９）の上側の第３の部分を包むようにバンドの第６の部分（１０６）に対してある角度、好ましくは９０°に回転するように折り曲げ可能である。
【０１１１】
したがって、バンドの第５の部分（１０５）が、それ自体をそれに対して平行に配置し、かつ一旦包装が完了されたならば衝撃および偶発的な落下から物品（９）を更に保護する第１の補強縁部（８９）（図１３Ａ、１３Ｂ、１４、１５、１６、１７Ａ、１７Ｂ）を形成する中心セクタ（３）に重ね合わせる。
【０１１２】
第２の閉鎖翼（５０）は、第１の閉鎖翼（４９）と第２の閉鎖翼（５０）との間の中心セクタ（３）上に載置される物品（９）の第２の側面（４２）および上側の第４の部分を包むために好ましくは：第２のスコア線（１２）にヒンジ結合するバンドの第７の部分（１０７）が、中心セクタ（３）に接着するようにある角度、好ましくは１８０°に回転し；第６のスコア線（１６）にヒンジ結合するバンドの第８の部分（１０８）が、物品（９）の第２の側面（４２）を包むように中心セクタ（３）およびバンドの第７の部分（１０７）に対してある角度、好ましくは９０°に回転し；第４のスコア線（１４）にヒンジ結合するバンドの第４の部分（１０４）が、梱包されるべき物品（９）の上側の第４の部分を包むようにバンドの第８の部分（１０８）に対してある角度、好ましくは９０°に回転するように折り曲げ可能である。
【０１１３】
したがって、バンドの第７の部分（１０７）は、それ自体をそれに対して平行に配置し、かつ一旦包装が完了されたならば衝撃および偶発的な落下から物品（９）を更に保護する第２の補強縁部（９０）（図１３Ａ、１３Ｂ、１４、１５、１６、１７Ａ、１７Ｂ）を形成する中心セクタ（３）に重ね合わせる。
【０１１４】
スコーリング手段は、好ましくは更に：第１のシャフト（７０）によって支えられる第５のスコーリングホイール（７５）であって、第５のスコア線（１５）を実現するようにそれの軸に対して回転可能な第５のスコーリングホイール（７５）；第１のシャフト（７０）によって支えられる第６のスコーリングホイール（７６）であって、第６のスコア線（１６）を実現するようにそれの軸に対して回転可能な第６のスコーリングホイール（７６）を備える。第１のシャフト（７０）、第５のスコーリングホイール（７５）および第６のスコーリングホイール（７６）は、第５のスコア線（１５）および第６のスコア線（１６）を実現するために前進でカートン（２）の下にあるバンドに対して配置される。
【０１１５】
スコーリング手段は、更に：第１のシャフト（７０）に拘束され、かつ次に第５のスコーリングホイール（７５）を支える第７の支持体（８７）；第１のシャフト（７０）に拘束され、かつ次に第６のスコーリングホイール（７６）を支える第８の支持体（８８）を備えることができる。
【０１１６】
第５のスコーリングホイール（７５）および第６のスコーリングホイール（７６）は、好ましくはアクチュエータ（例示されない）によって回転に引き込まれる。
【０１１７】
第５のスコア線（１５）および第６のスコア線（１６）の位置は、梱包されるべき物品（９）の位置に従って調節されることができる；このために、第１のシャフト（７０）に沿った第５のスコーリング線（７５）および第６のスコーリング線（７６）の位置が、調節されることができる。
【０１１８】
第５のスコーリングホイール（７５）および第６のスコーリングホイール（７６）が第１のシャフト（７０）に沿って容易に移動することができるように、第７の支持体（８７）および第８の支持体（８８）がしたがって、（摺動ガイドとして機能する）第１のシャフト（７０）に沿って摺動することが可能なキャリジであることができ、梱包されるべき物品（９）の寸法に従って第５のスコア線（１５）および第６のスコア線（１６）の位置の調節を可能にする。
【０１１９】
バンドの第１の領域（Ｒ１）およびバンドの連続した第２の領域（Ｒ２）から通過する際に、第５のスコア線（１５）および第６のスコア線（１６）の位置が変更されることになっている場合には、バンドが静止時、第１のシャフト（７０）、第５のスコーリングホイール（７５）および第６のスコーリングホイール（７６）が移動されることができる。
【０１２０】
器具（１０）は、第１のスコア線（１１）および第２のスコア線（１２）のそれぞれの近くの中心セクタ（３）上に接着剤（１０９）の２枚の細片を放出する、第２の切断手段（３９）に配置される接着剤（４８）を塗布するための手段を備えることができる。接着剤（１０９）の２枚の細片は：第５の補強翼（５５）、第６の補強翼（５６）、第７の補強翼（５７）、第８の補強翼（５８）、第９の補強翼（５９）、第１０の補強翼（６０）、第１１の補強翼（９９）、第１２の補強翼（１００）、中心セクタ（３）のバンドの第５の部分（１０５）およびバンドの第７の部分（１０７）の接着に導く。
【０１２１】
器具（１０）は、物品（９）を梱包するための、図１内に例示されるシステムの一部である。
【０１２２】
上記は限定されない例として記述され、および、任意の構成的変形が以下に記載されたように本技術解の保護範囲内に含まれると理解される。
【符号の説明】
【０１２３】
１  カートン
２  ダンボールバンド
３  中心セクタ
４  第１の横方向のセクタ
５  第２の横方向のセクタ
６  第１の横方向の端部
７  第２の横方向の端部
８  バンド領域
９  物品
１０  器具
１１  第１のスコア線  第１の折り目線
１２  第２のスコア線  第２の折り目線
１３  第３のスコア線
１４  第４のスコア線
１５  第５のスコア線
１６  第６のスコア線
１７  第１の重ね合わせ群
１８  第２の重ね合わせ群
１９  リール
２０  余分な細片
２１  第１の切れ目
２２  第２の切れ目
２３  第３の切れ目
２４  第４の切れ目
２５  第５の切れ目
２６  第６の切れ目
２７  第７の切れ目
２８  第８の切れ目
２９  第１のシート
３０  第２のシート
３１  第１のウィンドウ
３２  第２のウィンドウ
３３  第３のウィンドウ
３４  第４のウィンドウ
３５  第５のウィンドウ
３６  第６のウィンドウ
３７  第７のウィンドウ
３８  第８のウィンドウ
３９  第２の切断手段
４０  テレビカメラ
４１  第１の側面
４２  第２の側面
４３  第３の側面
４４  第４の側面
４５  第１の運搬装置
４６  第１の縁部細片
４７  第２の縁部細片
４８  接着剤
４９  第１の閉鎖翼
５０  第２の閉鎖翼
５１  第１の補強翼
５２  第２の補強翼
５３  第３の補強翼
５４  第４の補強翼
５５  第５の補強翼
５６  第６の補強翼
５７  第７の補強翼
５８  第８の補強翼
５９  第９の補強翼
６０  第１０の補強翼
６１  第１の折り曲げ細片
６２  第２の折り曲げ細片
６３  第３の折り曲げ細片
６４  第４の折り曲げ細片
６５  文書
６６  ラベル
６７  フレーム
６８  第１の切断ホイール
６９  第２の切断ホイール
７０  第１のシャフト
７１  第１のスコーリングホイール
７２  第２のスコーリングホイール
７３  第３のスコーリングホイール
７４  第４のスコーリングホイール
７５  第５のスコーリングホイール
７６  第６のスコーリングホイール
７７  第１の群
７８  第２の群
７９  第３の群
８０  第４の群
８１  第１の支持体
８２  第２の支持体
８３  第３の支持体
８４  第４の支持体
８５  第５の支持体
８６  第６の支持体
８７  第７の支持体
８８  第８の支持体
８９  第１の補強縁部
９０  第２の補強縁部
９１  第１のはさみ
９２  第２のはさみ
９３  第３のはさみ
９４  第４のはさみ
９５  第５のはさみ
９６  第６のはさみ
９７  第７のはさみ
９８  第８のはさみ
９９  第１１の補強翼
１００  第１２の補強翼
１０１  中心セクタ（３）の第１の部分
１０２  中心セクタ（３）の第２の部分
１０３  バンドの第３の部分
１０４  バンドの第４の部分
１０５  バンドの第５の部分
１０６  バンドの第６の部分
１０７  バンドの第７の部分
１０８  バンドの第８の部分
１０９  接着剤
１２１  第１の断裁機
１２２  第２の断裁機
１２３  上方刃
１２４  下方刃
Ａ  前進方向
Ｒ１  バンドの第１の領域
Ｒ２  バンドの第２の領域
【図１】
0006273555.tif 000002
【図２】
0006273555.tif 000003
【図３Ａ】
0006273555.tif 000004
【図３Ｂ】
0006273555.tif 000005
【図３Ｃ】
0006273555.tif 000006
【図４】
0006273555.tif 000007
【図５】
0006273555.tif 000008
【図６】
0006273555.tif 000009
【図７Ａ】
0006273555.tif 000010
【図７Ｂ】
0006273555.tif 000011
【図８】
0006273555.tif 000012
【図９Ａ】
0006273555.tif 000013
【図９Ｂ】
0006273555.tif 000014
【図１０Ａ】
0006273555.tif 000015
【図１０Ｂ】
0006273555.tif 000016
【図１１】
0006273555.tif 000017
【図１２Ａ】
0006273555.tif 000018
【図１２Ｂ】
0006273555.tif 000019
【図１２Ｃ】
0006273555.tif 000020
【図１３Ａ】
0006273555.tif 000021
【図１３Ｂ】
0006273555.tif 000022
【図１４】
0006273555.tif 000023
【図１５】
0006273555.tif 000024
【図１６】
0006273555.tif 000025
【図１７Ａ】
0006273555.tif 000026
【図１７Ｂ】
0006273555.tif 000027
【図１８】
0006273555.tif 000028